(57)【要約】【課題】人体を検知するセンサの取り付け位置の自由度が拡がるトイレ設備を提供すること。【解決手段】便器本体２１及び便器本体２１の開口を開閉可能に覆う便蓋２２を有する便器装置２と、人体を検知する焦電式、光学式又は超音波式のセンサ７と、便器装置２が設置されたトイレ設備１００に配置され、センサ７の検知結果に基づいて作動する電気機器６と、を備えるトイレ設備１００であって、センサ７の検知範囲は、便蓋２２の全開時に便蓋２２により遮蔽される範囲に設定される、トイレ設備１００である。【選択図】図１
2020110270.tif 000002
【特許請求の範囲】
【請求項１】
便器本体及び便器本体の開口を開閉可能に覆う便蓋を有する便器装置と、
人体を検知する焦電式、光学式又は超音波式のセンサと、
前記便器装置が設置されたトイレ設備に配置され、前記センサの検知結果に基づいて作動する電気機器と、を備えるトイレ設備であって、
前記センサの検知範囲は、前記便蓋の全開時に前記便蓋により遮蔽される範囲に設定される、トイレ設備。
【請求項２】
前記センサは、前記便器装置の背面側に露出して配置されるとともに前記便蓋の全開時に正面視で前記便蓋と重なる位置に配置されるセンサ窓を有する、請求項１に記載のトイレ設備。
【請求項３】
前記電気機器は、前記便器装置の周囲に配置される照明装置である、請求項１又は２に記載のトイレ設備。
【請求項４】
前記便器装置は、前記便蓋の開閉を制御する便蓋開閉制御部と、前記便器本体に前記人体が接近したことを検知する便器装置用人体検知センサとを有し、前記便器装置用人体検知センサが前記人体の接近を検知すると、前記便蓋開閉制御部の制御により前記便蓋が開かれるように構成され、
前記照明装置は、前記照明装置の点灯及び消灯を制御する照明用制御部を有し、
前記センサは、前記便蓋が開いて前記検知範囲を遮蔽すると前記便蓋を検知し、
前記照明用制御部は、前記センサが前記便蓋を検知すると、点灯した状態を維持するように前記照明装置を制御する、請求項３に記載のトイレ設備。
【請求項５】
前記照明装置は、前記便器装置の背面側に配置される背面側キャビネットに取り付けられる、請求項３又は４に記載のトイレ設備。
【発明の詳細な説明】
【技術分野】
【０００１】
本発明は、トイレ設備に関する。
【背景技術】
【０００２】
従来、トイレ設備には、照明装置や冷暖房装置、音響装置等、センサの検知結果に基づいて作動する電気機器が設置されることがある。設備機器は人体を検知するセンサに接続され、トイレ設備に人体が入ったことを検知すると自動的に作動するように構成されている場合がある（例えば、特許文献１参照）。
【先行技術文献】
【特許文献】
【０００３】
【特許文献１】特開２０１８−７９０５６号公報
【発明の概要】
【発明が解決しようとする課題】
【０００４】
人体を検知するセンサとして、焦電式、光学式又は超音波式のセンサがある。これらのセンサは、検知する距離を正確に設定できるという利点があるが、人体との間に便蓋等の遮蔽物が介在すると、検知性能が低下する場合があった。このため、センサを取り付ける位置が限定されてしまったり、検知範囲が遮蔽されない位置にセンサを配置すると、センサが目立ってしまったりする場合があった。
【課題を解決するための手段】
【０００５】
本発明は、便器本体（例えば、後述の便器本体２１）及び便器本体の開口を開閉可能に覆う便蓋（例えば、後述の便蓋２２）を有する便器装置（例えば、後述の便器装置２）と、人体を検知する焦電式、光学式又は超音波式のセンサ（例えば、後述の照明用センサ７）と、前記便器装置が設置されたトイレ設備（例えば、後述のトイレ設備１）に配置され、前記センサの検知結果に基づいて作動する電気機器と、を備えるトイレ設備であって、前記センサの検知範囲は、前記便蓋の全開時に前記便蓋により遮蔽される範囲に設定される、トイレ設備に関する。
【０００６】
前記センサは、前記便器装置の背面側に露出して配置されるとともに前記便蓋の全開時に正面視で前記便蓋と重なる位置に配置されるセンサ窓（例えば、後述のセンサ窓７０）を有することが好ましい。
【０００７】
前記電気機器は、前記便器装置の周囲に配置される照明装置（例えば、後述の照明装置６）であることが好ましい。
【０００８】
前記便器装置は、前記便蓋の開閉を制御する便蓋開閉制御部（例えば、後述の便蓋開閉制御部２７）と、前記便器本体に前記人体が接近したことを検知する便器装置用人体検知センサ（例えば、後述の便器装置用人体検知センサ２６）とを有し、前記便器装置用人体検知センサが前記人体の接近を検知すると、前記便蓋開閉制御部の制御により前記便蓋が開かれるように構成され、前記照明装置は、前記照明装置の点灯及び消灯を制御する照明用制御部（例えば、後述の照明用制御部６４）を有し、前記センサは、前記便蓋が開いて前記検知範囲を遮蔽すると前記便蓋を検知し、前記照明用制御部は、前記センサが前記便蓋を検知すると、点灯した状態を維持するように前記照明装置を制御することが好ましい。
【０００９】
前記照明装置は、前記便器装置の背面側に配置される背面側キャビネット（例えば、後述の背面側キャビネット３）に取り付けられることが好ましい。
【発明の効果】
【００１０】
本発明によれば、人体を検知するセンサの取り付け位置の自由度が拡がるトイレ設備を提供することができる。
【図面の簡単な説明】
【００１１】
【図１】本実施形態のトイレ設備の正面図である。
【図２】本実施形態のトイレ設備の側面図である。
【図３】本実施形態のトイレ設備の上面図である。
【図４】本実施形態のパネルユニットの斜視図である。
【図５】本実施形態の照明装置の点灯及び消灯に関するフローチャートである。
【図６】他の実施形態の前パネル及び巾木の下端近傍を示す拡大した側面図である。
【発明を実施するための形態】
【００１２】
以下、本発明の実施形態について、図面を参照しながら詳細に説明する。
図１は、本実施形態におけるトイレ設備１００内の背面側キャビネット３を示す図である。背面側キャビネット３は、トイレ設備１００内に配置されるとともに、便器装置２の便器本体２１が取り付けられる。
【００１３】
トイレ設備１００とは、便器装置２が設置された場所又は施設を意味し、例えば便所等である。本実施形態では、トイレ設備１００は、図１に示すように、室内に配置された略直方形の空間であり、長手方向がトイレ設備１００の手前側の入口（図示省略）と入口に対向する奥側とを結ぶ前後方向に沿っている。トイレ設備１００は、奥側の後壁１０１と、後壁１０１の幅方向の一方及び他方の一対の側壁１０２と、出入口用の扉が設けられた前壁（図示省略）と、床面１０３と、を有する。
なお、本明細書において、上下方向とは天地方向であり、幅方向とは、図１に示すように、トイレ設備１００の入口側から後壁１０１に向かって、背面側キャビネット３を正面から見た場合の左右を結ぶ横方向を意味する。また、左右とは、背面側キャビネット３を正面から見た場合の左右を意味する。
【００１４】
図２は、トイレ設備１００の側面図である。図３は、トイレ設備１００の上面図である。
便器装置２は、図２に示すように、便器本体２１と、便蓋２２と、給水部２３と、排水部２４と、便蓋開閉機構２５と、便器装置用人体検知センサ２６と、便蓋開閉制御部２７と、を有する。
【００１５】
便器本体２１は、上部が開口した凹部が形成されたボウル部２１０を有する平面視略Ｕ字状の容器である。便器本体２１は、使用者が着座して使用する便器を構成する主要部分であり、ボウル部２１０の底部には汚物を排出する排水口が形成されている。便器本体２１は、下端部が床面１０３から上方に離れた位置に配置されている。便器本体２１は、いわゆる壁掛け式であり、便器本体２１が後述する背面側キャビネット３に接続されて、床面１０３から宙に浮いたように設置されている。便器本体２１は、背面側キャビネット３が設けられる床面１０３から、例えば６０ｍｍ〜１１０ｍｍ程度上方に離れた位置に取り付けられている。
【００１６】
便蓋２２は、便器本体２１のボウル部２１０における開口を覆う蓋であり、後方側にヒンジで接続されて開閉される。
給水部２３は、便器本体２１に排水用の水を供給する機構である。給水部２３は、建物の内部に設けられた給水管（図示省略）に接続され、ボウル部２１０に供給する水を貯水する給水タンク２３０を有する。
排水部２４は、便器本体２１に接続され、便器本体２１の排水口から排出される汚水を下水へ排水するエルボ管２４１及び蛇腹管２４２を有する。エルボ管２４１は、排水口に接続されており、蛇腹管２４２は、エルボ管２４１の下流側端部から床下の下水管へと接続される。
【００１７】
便蓋開閉機構２５は、便蓋２２を便器本体２１に開閉可能に接続するヒンジ及びヒンジを駆動するモータを有する（図示省略）。
便器装置用人体検知センサ２６は、便器本体２１に人体が接近したことを検知する焦電式の赤外線人体検知センサである。
便蓋開閉制御部２７は、便器装置用人体検知センサ２６が人体を検知すると、便蓋２２を開くように便蓋２２に信号を送る。また、便蓋開閉制御部２７は、便蓋用タイマーを内蔵し、便蓋用タイマーは、便蓋２２が開いた後経過する時間を計測している。便蓋開閉制御部２７は、便器装置用人体検知センサ２６が人体を検知しなくなってから所定時間を経過すると、便蓋２２を全閉させるように便蓋２２に信号を送る。
【００１８】
図３は、トイレ設備１００の上面図である。図３では、カウンター３３０を省略して示している。
背面側キャビネット３は、図１〜図３に示すように、便器本体２１の背面側と、トイレ設備１００の後壁１０１との間に配置される。背面側キャビネット３は、床面１０３から便器装置２の上部を越えて上方へ延びるとともに、後壁１０１側へ奥行を有する。背面側キャビネット３は、便器装置２のタンクや止水栓等が配置される給水部２３や排水部２４等を覆い隠す棚である。
背面側キャビネット３は、収容部３０と、前パネル３１と、巾木３２と、一対の間口調整材４と、一対の連結側板５と、一対の照明装置６と、本発明のセンサとしての照明用センサ７と、を有する。
【００１９】
収容部３０は、便器本体２１の背面と後壁１０１との間に配置され、便器装置２の給水部２３や排水部２４、便器装置２の電源（図示省略）等の構成部を内部に収容する略直方形の空間である。収容部３０は、フレーム３５０と、補強木３２０と、カウンター３３０と、を有する。
【００２０】
フレーム３５０は、図１に示すように、便器本体２１、給水部２３及び排水部２４等を固定支持する土台を形成する枠である。フレーム３５０は、一対の縦桟３５１、上桟３５２、及び下桟３５３を有する。
一対の縦桟３５１は、便器本体２１の背面側で、後壁１０１から前方側に所定距離離れた位置に、上下方向に延びる金属製の枠材である。一対の縦桟３５１は、便器本体２１の幅方向の一方及び他方に配置される。縦桟３５１には、後述する前パネル３１を介して便器本体２１が固定される。また、一対の縦桟３５１の間に、横方向に延びる支持部材３５４（図２参照）が取り付けられ、給水タンク２３０が支持部材３５４に固定支持される。
上桟３５２は収容部３０の上部側で、下桟３５３は収容部３０の下部側で、一対の縦桟３５１の間に横方向に渡される金属製の枠材である。
【００２１】
補強木３２０は、後壁１０１に直接取り付けられる板材であり、収容部３０の上部でフレーム３５０に対向する位置に配置される。
【００２２】
カウンター３３０は、収容部３０の上部を覆う長方形の板である。カウンター３３０は補強木３２０に回動可能にヒンジで接続され、収容部３０の上部開口を開閉可能な蓋を構成する。カウンター３３０の手前側の縁は、上桟３５２に間接的に支持される。
【００２３】
前パネル３１は、便器本体２１が固定されるフレーム３５０の縦桟３５１に接続されて支持され、便器本体２１の背面側に取り付けられる。前パネル３１は、収容部３０の前側と便器本体２１とを隔てる四角形の板状の部材である。前パネル３１は、便器本体２１の下方から上端部を越えて上下方向に延び、背面側キャビネット３の最前面部を構成する。前パネル３１は、上端側で幅方向に延びる上端縁３１ａと、下端側で幅方向に延びる下端縁３１ｂと、幅方向の一方及び他方で上下方向に延びる側縁３１ｃ、３１ｄとを有する。
【００２４】
前パネル３１の幅方向に沿う寸法は、便器本体２１の幅よりも大きく、前パネル３１は、背面側キャビネット３の幅方向の一方側から他方側へ延びるように配置されている。しかし、図１及び図３に示すように、前パネル３１の一対の側端部で上下方向に延びる側縁３１ｃ、３１ｄは、それぞれの側端部に対向するトイレ設備１００の一対の側壁１０２から離れた位置に配置されており、側壁１０２にぴったりと付き合わされてはいない。すなわち、前パネル３１の一対の側端部は、それぞれ一対の側壁１０２から離れて、第１の隙間Ｇ１を有して配置されている。第１の隙間Ｇ１は、例えば５ｍｍ〜４０ｍｍ程度、好ましくは１０ｍｍ〜３５ｍｍ程度であってよい。
【００２５】
前パネル３１は、複数の板が隣接して配置されることで構成されており、上部前板部３１１と、下部右側前板部３１２と、下部左側前板部３１３と、下部中央前板部３１４と、を有する。
【００２６】
上部前板部３１１は、前パネル３１の上部に配置される四角形の一枚の板材である。上部前板部３１１は、縦桟３５１に固定される。
【００２７】
下部右側前板部３１２は、前パネル３１の下部の正面視右側に配置される四角形の板であり、便器本体２１の下方の右側に配置される。下部右側前板部３１２は、ダボと孔の構成により上部前板部３１１に接続されており、また、後述する下部中央前板部３１４に接続されることで、間接的に縦桟３５１に支持される。
【００２８】
下部左側前板部３１３は、前パネル３１の下部の正面視左側に配置される四角形の板であり、便器本体２１の下方の左側に配置される。下部左側前板部３１３は、ダボと孔の構成により上部前板部３１１に接続されており、また、後述する下部中央前板部３１４に接続されることで、間接的に縦桟３５１に支持される。
【００２９】
下部中央前板部３１４は、前パネル３１の下部の正面視中央側に配置される板であり、便器本体２１の形状に沿って上部側が切り欠かれている。下部中央前板部３１４は、便器本体２１の背面側に配置され、縦桟３５１に固定される。
【００３０】
前パネル３１の下端部に沿って延びる下端縁３１ｂ、すなわち、下部右側前板部３１２、下部左側前板部３１３及び下部中央前板部３１４の下端縁は、図１及び図２に示すように、床面１０３から上方に離れた位置に配置されており、床面１０３に直接接続されていない。前パネル３１は、床面１０３から、少なくとも１０ｍｍ以上離れた位置に取り付けられ、好ましくは２０ｍｍ〜５０ｍｍ、例えば３０ｍｍ〜４０ｍｍ程度離れた位置に取り付けられる。
【００３１】
巾木３２は、図２に示すように、縦桟３５１に固定されて前パネル３１の下端部の背面側に配置され、前パネル３１の幅方向の一方から他方に延びる細長い板材である。巾木３２は、前パネル３１の背面と前後方向に重なり、床面１０３に当接する。巾木３２の前面は、前パネル３１の背面に接している。巾木３２は、前パネル３１とは異なる色調に形成されており、例えば、トイレ設備１００の側壁１０２と同系色である。
【００３２】
巾木３２は、図２に示すように、縦桟３５１に固定されて前パネル３１の下端部の背面側に配置され、幅方向の一方から他方に延びる細長い板材である。巾木３２の前面は、前パネル３１の背面に接している。巾木３２は、床面１０３と前パネル３１の下端縁３１ｂとを接続する。巾木３２は、前パネル３１とは異なる色調に形成されており、例えば、トイレ設備１００の側壁１０２と同系色である。
【００３３】
図４は、前パネル３１に間口調整材４、連結側板５及び照明装置６が取り付けられた状態の斜視図である。間口調整材４は、背面側キャビネット３の上下方向に沿って延びる縦長の板材であり、長手方向側縁４１と、短手方向側縁４２と、長孔４３と、を有する。
長手方向側縁４１は、前パネル３１の側縁３１ｃ、３１ｄに沿って配置される。
短手方向側縁４２は、前パネル３１の幅方向に沿って配置される。
長孔４３は、間口調整材４の上端側及び下端側に短手方向に沿って形成される。
【００３４】
間口調整材４は、図３に示すように、前パネル３１の背面側で、前パネルの一対の側縁３１ｃ、３１ｄ近傍に一対配置される。間口調整材４は、長孔４３に挿通させるビス４４の位置を調整することにより左右方向に移動可能に取り付けられ、間口調整材４の短手方向側縁４２の外側端部が、トイレ設備１００の側壁１０２に当接するように近接させて取り付けられる。間口調整材４は、間口調整材４を側壁１０２に当接させるか、また、施工誤差等で側壁１０２にぴったりと当接しない場合でも、当接するほどに近接させることが可能であればよい。図１及び図４に示すように、間口調整材４の短手方向側縁４２の外側端部は、前パネル３１よりも幅方向の外側に位置する。
【００３５】
間口調整材４は、前パネル３１の背面から後方に離れ、前パネル３１の背面との間に第２の隙間Ｇ２を有して配置される。前パネル３１の背面と間口調整材４との間の第２の隙間Ｇ２の寸法は、前パネル３１の側端部とトイレ設備１００の側壁１０２との間の第１の隙間Ｇ１の寸法よりも大きく、例えば、４０ｍｍ〜６０ｍｍ程度、好ましくは４５ｍｍ〜５５ｍｍ程度である。第２の隙間Ｇ２の方が第１の隙間Ｇ１よりも大きいことで、第２の隙間Ｇ２の奥行きにより前パネル３１の独立性が際立ち、前パネル３１が浮遊しているような浮遊感が実現される。
【００３６】
間口調整材４は、白色、ベージュ、クリーム色等の光を反射させやすい色調及び素材で構成される。白、ベージュ、クリーム色等の白色系の色調は、黒色系や赤色系等と比べると光を反射させやすい。このため、間口調整材４の反射板としての機能を発揮させやすくなる。
【００３７】
間口調整材４は、図１に示すように、間口調整材４の下端部が巾木３２の幅方向外側に配置されており、巾木３２に対していわゆる「縦勝ち」に配置されている。間口調整材４と巾木３２は、正面視で連続したように見え、間口調整材４と巾木３２が前パネル３１の下側の周囲を上部が開口したコの字状に囲んでいるように配置されている。
【００３８】
連結側板５は、前パネル３１の背面と間口調整材４とを連結する板であり、前パネル３１及び間口調整材４に対して略直交するように取り付けられる。連結側板５は、間口調整材４とほぼ同程度の長さを有する縦長の板材である。連結側板５の幅方向の長さは、第２の隙間Ｇ２に対応する。図４に示すように、連結側板５の前パネル３１側の短手方向の端部における、前パネル３１と接する端面には、前パネル３１側に向かって突出するボス５１が形成されており、前パネル３１の背面側の対応する位置に形成される孔に挿入されて連結される。
【００３９】
図４を参照して、連結側板５と間口調整材４の連結手順について説明する。前パネル３１の幅方向の寸法は、トイレ設備１００の一対の側壁１０２同士の間の距離よりも短いので、前パネル３１の幅方向の外側に第１の隙間Ｇ１が開く。第１の隙間Ｇ１の大きさに応じて、間口調整材４の位置は、便器本体２１寄りか、側壁１０２寄りか、施工現場で位置を調整される。間口調整材４の長孔４３にビス４４を挿通させ、間口調整材４と連結側板５とをＬ字型金具５２で仮留めする。間口調整材４の短手方向側縁４２の外側（トイレ設備１００の側壁１０２側）の端部が側壁１０２に当接するように近接させて左右方向に移動させ、位置を調整した後、間口調整材４の上端側及び下端側に挿通されているビス４４を締め、一対の間口調整材４を固定する。
【００４０】
照明装置６は、トイレ設備１００の便器装置２の周囲に配置され、背面側キャビネット３に取り付けられる。前パネル３１の背面側のやや内側（前パネル３１の幅方向中央寄り）で、前パネル３１の両側縁３１ｃ、３１ｄに沿って延びるように一対配置される。詳細には照明装置６は、図２に示すように前パネル３１の両側縁３１ｃ、３１ｄの背面と、間口調整材４との間で、連結側板５に取り付けられ、背面側キャビネット３の正面視では視認されない位置に配置される。照明装置６は、背面側キャビネット３の一対の側縁３１ｃ、３１ｄ側からトイレ設備１００の一対の側壁１０２に対して光を照射する間接照明装置である。照明装置６は、照明ケース６１と、照明カバー６２と、照明素子（図示省略）、照明用タイマー６３及び照明用制御部６４と、を有する。
【００４１】
照明ケース６１は、内部に照明素子及びケーブルが格納された直方体のケースである。照明ケース６１は、前パネル３１の上下方向の側縁３１ｃ、３１ｄにおける一方側の端部側から他方側の端部側まで延びるように配置される。詳細には、照明ケース６１の長さは、前パネル３１の側縁３１ｃ、３１ｄの長さよりもわずかに短く、照明ケース６１の端部は、前パネル３１の上下方向の端部よりもやや内側に位置している。なお、図３に示すように、照明ケース６１は、前パネル３１の一方の側縁３１ｃ側と他方の側縁３１ｄ側とでは、奥行き方向に互い違いにずれて配置されており、一方の側縁３１ｃ側では前パネル３１の背面から奥側へ離れた位置で連結側板５に取り付けられ、他方の側縁３１ｄ側では前パネル３１の背面に当接するように連結側板５に取り付けられている。
【００４２】
照明カバー６２は、照明ケース６１が取り付けられた状態で、照明ケース６１における少なくとも前パネル３１の幅方向の外側を覆うように取り付けられる。照明カバー６２は、トイレ設備１００の側壁１０２側を向くように配置される。
【００４３】
照明素子は、照明ケース６１の内部に配置されている（図示省略）。照明素子が点灯することで照明装置６が発光する。照明素子は、発光の範囲が前パネル３１の上下方向に亘るように、照明ケース６１内の上下方向に沿って並ぶように配置されている。
【００４４】
照明用タイマー６３は、照明装置６が点灯した後、点灯している時間を計測するタイマーである。
照明用制御部６４は、以下に説明する照明用センサ７が人体を検知すると、照明装置６を点灯させるように信号を送る。照明用制御部６４は、照明用タイマー６３が計測している照明装置６の点灯時間を参照しながら、照明用センサ７が人体を検知しているか否かを判断する。そして、照明装置６の点灯後に所定時間が経過して照明用センサ７が人体を検知していなければ、照明装置６を消灯させるように信号を送る。
【００４５】
照明用センサ７は、図１に示すように、前パネル３１に配置されて、その検知範囲が便器装置２の便蓋２２の全開時において正面視で便蓋２２又により遮蔽される範囲に設定される。照明用センサ７は、便器本体２１の正面視における便蓋２２の上方に配置されている。照明用センサ７は、照明用センサ７の検知結果に基づいて作動する電気機器としての照明装置６に接続される。照明用センサ７は、便器装置２に近付く人体を検知する焦電式の赤外線人体検知照明用センサである。照明用センサ７は、センサ窓７０と、センサ本体７１と、を有する。
【００４６】
センサ窓７０は、前パネル３１の表面の幅方向の中央寄りで、便器装置２の背面側に露出して配置される。センサ窓７０は、センサ７の表面に配置されて人体から放射される赤外線を受ける部分であり、レンズが配置されている。図１に示すように、センサ窓７０が、便蓋２２の全開時に正面視で便蓋２２と重なる位置に配置される。
【００４７】
センサ本体７１は、センサ窓７０で受けた赤外線を感知する焦電体及び基板を有し、前パネル３１に取り付けられている。センサ本体７１は、使用者がトイレ設備１００に入室して、便器装置２に予め設定した距離近づくと、人体を検知し、検知結果を照明用制御部６４へ出力するように設定されている。
【００４８】
図５は、照明装置６の点灯及び消灯に関するフローチャートである。図５を参照して、照明装置６の点灯及び消灯について説明する。
図５に示すように、便蓋２２が閉じているときにトイレ設備１００の使用者がトイレ設備に入ると、照明用センサ７は、使用者が所定距離近づいたところで人体を検知する（Ｓ１）。このときは、便蓋２２が閉じているので、前パネル１３の表面から人体までの間に遮蔽物がなく、照明用センサ７は人体を検知する。照明用制御部６４は、照明用センサ７が人体を検知すると、照明装置６を点灯する（Ｓ２）。
【００４９】
その後、便蓋２２が、便器装置用人体検知センサ２６の検知を受け、便蓋開閉機構２５によって自動で開く。照明用センサ７の検知範囲は、便蓋２２の全開時に便蓋２２と重なる位置に配置しているので、人体検知後に検知範囲が便蓋２２によって遮蔽されると、照明用センサ７は便蓋２２を検知する（Ｓ３）。照明用制御部６４は、人体検知後に照明用センサ７が便蓋２２を検知すると、人体が存在していると判断する。照明用制御部６４は、照明用センサ７が便蓋２２を検知したか否かを判断し、照明用センサ７が便蓋２２を検知した場合には、便器装置２が利用中であるとして、照明装置６を点灯させ続けるように制御する（Ｓ４）。
【００５０】
便器装置用人体検知センサ２６が人体を検知しなくなると、便蓋開閉制御部２７が便蓋開閉機構２５に指示をして自動で便蓋２２を閉じる。
照明用センサ７は、照明装置６の点灯後、便蓋２２が閉じられると、遮蔽物がなくなるため、人体を検知できるようになる。照明用センサ７が人体を検知しなければ、照明用制御部６４は、照明装置６を消灯させる（Ｓ５）。
【００５１】
本実施形態によれば、以下の効果が奏される。
本実施形態では、トイレ設備１００を、便器本体２１及び便器本体２１の開口を開閉可能に覆う便蓋２２を有する便器装置２と、人体を検知する焦電式の照明用センサ７と、便器装置２が設置されたトイレ設備１００に配置され、照明用センサ７の検知結果に基づいて作動する照明装置６と、を含んで構成した。また、照明用センサ７の検知範囲を、便蓋２２の全開時に便蓋２２により遮蔽される範囲に設定させた。
照明用センサ７の検知範囲を、便蓋２２の全開時に便蓋２２により遮蔽される範囲に設定することで、便蓋２２の全開時に照明用センサ７に便蓋２２を検知させる。照明用センサ７が便蓋２２を検知することにより、便器装置２が利用中であると判断させることができる。このため、照明用センサ７を焦電式、光学式又は超音波式としても、検知範囲が便蓋２２で遮蔽されることを考慮しなくてよくなり、照明用センサ７の配置可能な範囲が広がる。よって、照明用センサの取り付け位置の自由度が拡がる。
【００５２】
本実施形態では、照明用センサ７を、便器装置２の背面側に露出して配置されるとともに便蓋２２の全開時に正面視で便蓋２２と重なる位置に配置されるセンサ窓７０を含んで構成した。これにより、照明用センサ７が確実に便蓋２２を検知することができるので、上記と同様の効果を奏する。
【００５３】
本実施形態では、センサの検知結果に基づいて作動する電気機器を、便器装置２の周囲に配置される照明装置６とした。
照明用センサ７の検知結果により照明装置６を作動させることで、背面側キャビネット３の照明装置６を必要以上に長い間点灯させておくことがなくなるので、電力の消費を抑えることができ、かつ、照明装置６の演出的効果を得ることができる。
【００５４】
本実施形態では、便器装置２を、便蓋２２の開閉を制御する便蓋開閉制御部２７と、便器本体２１に人体が接近したことを検知する便器装置用人体検知センサ２６とを含んで構成し、便器装置用人体検知センサ２６が人体の接近を検知すると、便蓋開閉制御部２７の制御により便蓋２２が開かれるように構成した。また、照明装置６を、照明装置６の点灯及び消灯を制御する照明用制御部６４を含んで構成した。また、照明用センサ７を、便蓋２２が開いて検知範囲を遮蔽すると便蓋２２を検知するようにし、照明用制御部６４を、照明用センサ７が便蓋２２を検知すると、点灯した状態を維持するように照明装置６を制御させた。
照明用センサ７が便蓋２２を検知することにより、照明用制御部６４に、便器装置２が利用中であると判断させることができる。このため、照明用センサ７を焦電式、光学式又は超音波式としても、検知範囲が便蓋２２で遮蔽されることを考慮しなくてよくなり、上記と同様の効果を奏することができる。また、便器装置２が、便器装置用人体検知センサ２６及び便蓋開閉制御部２７を有することで、自動で便蓋２２を開閉させることができ、便蓋２２の開閉と照明装置６の点灯及び消灯を自動で連動させることができる。
【００５５】
本実施形態では、照明装置６を、便器装置２の背面側に配置される背面側キャビネット３に取り付けた。
背面側キャビネット３の照明装置６を好適に制御することができるので、便器装置２近傍を必要に応じて明るくしたり、照明装置６を消灯したりすることができる。
【００５６】
以上、本発明の好ましい実施形態について説明したが、本発明は、上述の実施形態に制限されるものではなく、適宜変更が可能である。
例えば、センサ７は、上記実施形態では焦電式の赤外線人体検知センサであるが、電波式以外であれば、光学式又は超音波式センサ等であってもよい。
また、センサ７は、照明装置６に接続されているが、これに限られない。センサの検知結果に基づいて作動する電気機器は、他に、トイレ設備の冷暖房装置、音響装置、室内照明灯等であってよい。
【００５７】
また、上記実施形態では、便蓋２２は便蓋開閉機構２５、便器装置用人体検知センサ２６、便蓋開閉制御部２７により自動で開閉されているが、これに限られない。便蓋２２は手動で開閉されていてもよい。この場合、便器装置２の使用者が、便蓋２２を開けた後、閉じることを忘れてトイレ設備１００から離れた場合に、照明用センサ７が便蓋２２を検知し続けていると、照明装置６点灯したままとなることが考えられる。このため、便蓋２２が手動で開閉される場合には、照明装置６は、照明用タイマーにより点灯後所定時間を計測し、所定時間経過後も便蓋２２が開かれたままの場合に、照明装置６を消灯するように設定してもよい。
【００５８】
また、例えば、上記実施形態では、センサ７は照明装置６を作動させるためにのみ人体を検知しているが、これに限られない。センサは、照明装置の他に、上述の電気機器を作動させるための人体の検知を兼用するように設定してもよい。
さらに、上記実施形態では、便蓋の開閉のためのセンサと照明用センサとで別々に人体の検知を行っているが、便蓋の開閉や便座の加温、消臭等も含め、人体検知を同じセンサ及び制御部で行うように構成してもよい。
【００５９】
図６は、背面側キャビネット３Ａの他の実施形態における前パネル３１Ａ及び巾木３２Ａの下端近傍を示す拡大した側面図である。
図６に示すように、前パネル３１Ａの背面と巾木３２Ａの間に下側用照明装置６００を設けてもよい。下側用照明装置６００は、前パネル３１Ａの下端縁の幅方向に沿って配置される。より具体的には、前パネル３１Ａの下端部の背面側を側面視でＬ字状に切り欠いて、切欠き部３１９を形成する。前パネル３１Ａの下端部の切欠き部３１９及び巾木３２Ａの間に空間を形成し、この空間に下方に向かって照らす下側用照明装置６００を配置する。
下側用照明装置６００から照射される光と、上記実施形態の照明装置６から照射される光とは、前パネル３１Ａの下端部の幅方向外側の角で重なる。前パネル３１Ａの下側の周囲を下側用照明装置６００と照明装置６とが連続して囲むように配置される。これより、前パネルが床面１０３から浮遊した状態であることが視認しやすくなる。
【００６０】
下側用照明装置６００を配置した場合には、上記実施形態の照明装置６及び下側用照明装置６００の両方を、照明用センサ７の検知によって点灯及び消灯させるか、あるいは照明用センサ７によって点灯及び消灯させる照明装置を、上記実施形態の照明装置６のみ、又は下側用照明装置６００のみとするかを、予め設定しておいてもよい。
【００６１】
下側用照明装置６００は、背面側キャビネット３の下端縁３１ｂ側からトイレ設備１００の床面１０３に対して光を照射する間接照明装置であってよい。
また、他の下側用照明装置として、前パネルと床面との間に配置して、トイレ空間内を直接照らす直接照明として構成したものでもよい。
【符号の説明】
【００６２】
３      背面側キャビネット
２        便器装置
６        照明装置
７        照明用センサ（センサ）
２１      便器本体
２２      便蓋
２６      便器装置用人体検知センサ
２７      便蓋開閉制御部
６４      照明用制御部
７０      センサ窓
１００    トイレ設備
【図１】
2020110270.tif 000003
【図２】
2020110270.tif 000004
【図３】
2020110270.tif 000005
【図４】
2020110270.tif 000006
【図５】
2020110270.tif 000007
【図６】
2020110270.tif 000008